(57)【要約】【課題】本発明の目的は、簡易な構造であり、かつ、使用前は確実に二液を分離でき、使用時は容易に、かつ、確実に二液を混合できる二室容器を提供することである。【解決手段】本発明に係る二室容器１は、上端開口部１１３を有する収容室１００を、仕切壁１３０で区画して形成した第一室１０１及び第二室１０２を有する容器本体１１０と、上端開口部１１３を閉塞する蓋体１２０とを備え、ストロー（不図示）の挿入によって第一室１０１及び第二室１０２を連通して、第一室１０１及び第二室１０２にそれぞれ充填された内容物を混合する二室容器において、蓋体１２０が、第二室１０２側にストロー挿入部１２１を有し、仕切壁１３０が、（１）割裂性包材からなる、（２）表面にダメージ加工部（不図示）を有する又は（３）割裂性包材からなり、かつ、表面にダメージ加工部（不図示）を有する。【選択図】図１
2014061926.tif 000002
【特許請求の範囲】
【請求項１】
上端開口部を有する収容室を、仕切壁で区画して形成した第一室及び第二室を有する容器本体と、
前記上端開口部を閉塞する蓋体とを備え、
ストローの挿入によって前記第一室及び前記第二室を連通して、前記第一室及び前記第二室にそれぞれ充填された内容物を混合する二室容器において、
前記蓋体が、前記第二室側にストロー挿入部を有し、
前記仕切壁が、（１）割裂性包材からなる、（２）表面にダメージ加工部を有する又は（３）割裂性包材からなり、かつ、表面にダメージ加工部を有することを特徴とする二室容器。
【請求項２】
前記第一室が、前記第二室より低圧状態であることを特徴とする請求項１に記載の二室容器。
【請求項３】
前記第一室が、負圧状態であることを特徴とする請求項１又は２に記載の二室容器。
【請求項４】
前記仕切壁に引張応力をかけたことを特徴とする請求項１〜３のいずれか一つに記載の二室容器。
【発明の詳細な説明】
【技術分野】
【０００１】
本発明は、二種の成分を、使用前は分離して収容し、使用時に容易に混合することができる二室容器に関する。
【背景技術】
【０００２】
二種の成分を、使用前は分離して収容し、使用時に混合することができる容器が知られている（例えば、特許文献１〜１１を参照。）。
【０００３】
特許文献１は、ＰＰ不織布と剥離容易に積層したＰＰフィルムとを積層した密閉シート部材で開口部を密閉した上容器と、ＰＰフィルムで開口部を密閉した下容器とを、開口部同士を対面させて一体とした二室容器を開示している。この二室容器は、上容器及び下容器のＰＰフィルムを剥がして、再度、開口部同士を対面させて調理することで、上容器の液状食品が下容器に自動的に添加される。特許文献２は、下面部を有する収容部を備え、収容部にミルクを充填後、下面部を薄膜で密封した蓋体を開示している。このコーヒーカップの蓋としてこの蓋体を用い、収容部を指で押しつぶすと、薄膜が破れ、ミルクがカップ内のコーヒーに添加される。または、収容部にストローを突き刺し、薄膜を突き破ることで、ミルクがカップ内のコーヒーに添加される。特許文献３は、カップの下蓋と上蓋との間に輪切りレモンを密閉したカップを開示している。このカップは、ストローを上蓋から刺し、ストローの先を輪切りレモンの中央部に当てたまま、下蓋を押し破り、輪切りレモンをカップのドリンク内に入れる。
【０００４】
特許文献４は、飲料用容器の下部に、補助容器を内在させた二液用飲料容器を開示する。この二液用飲料容器は、飲料用容器の蓋体からストローを挿入し、ストローを更に押し込んで、補助容器の蓋体に穴を開け、この穴から両液の混合を行う。特許文献５は、カップの上部開口を密栓する内蓋の内面に小型トレーを接合した蓋付きカップを開示している。この蓋付きカップは、ストローを内蓋から挿入して小型トレーの底面部に突き刺して貫通することによって、小型トレーに充填された添加物を、カップに充填された内容物に混合する。特許文献６は、容器本体と容器本体に内装される小容器とを備えるミックス容器を開示している。このミックス容器は、ストローを容器本体から刺し込むことで、小容器の上部閉止蓋及び下部閉止蓋を押し破って、小容器内の添加物を容器本体内の液状飲料に混合する。
【０００５】
特許文献７は、第１容器と第２容器とを、互いの開口部を対向させた状態で密閉シートを介して密着させた二物質混合容器を開示している。この二物質混合容器は、第２容器の内部に設けた突刺部で密閉シートを破断して第２容器内の物質を第１容器内の物質に混合する。特許文献８は、基板の一方の面に可撓性合成樹脂シートの周縁を接合して基板との間に添加物を収容した袋を形成し、前記基板の中央に形成された破断線に沿ってＶ字形に折曲げると、前記基板が破断線に沿って破断して開封され、かつ、袋内の添加物が注出される折曲げ破断開封式の包装体の装着が可能な蓋体を開示する。すなわち、この蓋体は天板に切線等と、その切線等を境として両側に一対のフラップとが設けられた蓋体に、折曲げ破断開封式の包装体の基板を固定可能であり、蓋体を容器本体に被着し、折曲げ破断開封式の包装体の基板を破断線に沿ってＶ字形に折り曲げると、蓋体の切線に沿って開口させると同時に、包装体の基板も破断線に沿って開封し、袋内の添加物が容器本体中に注出される。
【０００６】
特許文献９は、外装箱体内に層状を呈するように複数の内装アルミ箔箱を収容した複合式飲料容器を開示している。この複合式飲料容器は、ストローを上層から下層へと差し込むことで、混合した味を楽しむことができる。
【０００７】
特許文献１０は、一端が開口する透明な容器本体と、容器本体の内部に設けられ、容器本体を少なくとも２つ以上の飲料物収容部に仕切る仕切部材とを備えた飲料物用容器を開示している。この飲料物用容器は、蓋を開放すると同時にシート部材が仕切部材から剥がれ、仕切部材に設けた切欠き部が開放されて、２つ以上の飲料物収容部が連通して飲料物が混合される。特許文献１１は、容器本体内を上室と下室とに仕切る仕切り片を一体に設けるとともにこの仕切片の下面外周面と容器本体の内周面に沿って仕切片破断用の索条を配し、この索条の一端を容器の蓋の内天面に係止し、開蓋時、索条にて仕切り片を破断するようになした容器を開示している。
【先行技術文献】
【特許文献】
【０００８】
【特許文献１】実開平２−８３２９０号公報
【特許文献２】特開平９−２５１６号公報
【特許文献３】特開２００７−１６８７９３号公報
【特許文献４】特開２００５−１５３９９６号公報
【特許文献５】特開２００９−２２０８３９号公報
【特許文献６】特開平１０−１３９０７５号公報
【特許文献７】特開２００６−３０６４０１号公報
【特許文献８】特開２００５−４７５３９号公報
【特許文献９】登録実用新案第３０６００９６号公報
【特許文献１０】特開２００７−１５７５５号公報
【特許文献１１】実開平５−２２３３８号公報
【発明の概要】
【発明が解決しようとする課題】
【０００９】
特許文献１の二室容器は、ＰＰフィルムを剥がした状態で上容器を逆さまにする動作が必要であり、この時、上容器内の内容物がこぼれるおそれがある。特許文献２に記載の蓋体は、収容部を指で押しつぶしたり、ストローで突き刺したりできるようにするために、収容部の強度をあまり高くすることができない。このため、使用前に収容部の変形が生じて、意図しない二液の混合が行われるおそれがある。特許文献３のカップは、安定してレモンをカップ内に入れることが難しい。特許文献４の二液用飲料容器は、飲料用容器の下部に、補助容器を内在させているため、補助容器内の内容物が飲料容器内に均一に混ざりにくい。特許文献５の蓋付きカップは、小型トレーが内蓋の内面から剥がれ、カップ内に脱落するおそれがある。特許文献６のミックス容器は、小容器が容器本体の天井面に貼着されており、特許文献５と同様に、小容器が容器本体内に脱落するおそれがある。特許文献７の二物質混合容器は、物流時又は保管時に、容器の積み重ねなどの外力によって、第２容器の上面部が内側に屈曲変形して、意図しない二液の混合が行われるおそれがある。特許文献８の蓋体は、添加物を注出後、飲食時には、蓋体を外す必要がある。蓋体には、開封した折曲げ破断開封式の包装体が固定されており、残留添加物の漏出のおそれがあるため始末に手間がかかる。特許文献９の複合式飲料容器は、二重容器であるため、使用材料が多くなる。特許文献１０の飲料物用容器は、構造が複雑であり、製造コストが高くなる。特許文献１１の容器は、蓋の開封と同時に仕切片の周縁を容器内面から剥離して破断するため、蓋の開封に強い力が必要となり、開封時に内容液がこぼれるおそれがある。
【００１０】
本発明の目的は、簡易な構造であり、かつ、使用前は確実に二液を分離でき、使用時は容易に、かつ、確実に二液を混合できる二室容器を提供することである。
【課題を解決するための手段】
【００１１】
本発明に係る二室容器は、上端開口部を有する収容室を、仕切壁で区画して形成した第一室及び第二室を有する容器本体と、前記上端開口部を閉塞する蓋体とを備え、ストローの挿入によって前記第一室及び前記第二室を連通して、前記第一室及び前記第二室にそれぞれ充填された内容物を混合する二室容器において、前記蓋体が、前記第二室側にストロー挿入部を有し、前記仕切壁が、（１）割裂性包材からなる、（２）表面にダメージ加工部を有する又は（３）割裂性包材からなり、かつ、表面にダメージ加工部を有することを特徴とする。
【００１２】
本発明に係る二室容器では、前記第一室が、前記第二室より低圧状態であることが好ましい。第二室から第一室への内容物の移動を、より促進することができる。
【００１３】
本発明に係る二室容器では、前記第一室が、負圧状態であることが好ましい。より大きな連通口を形成することができる。
【００１４】
本発明に係る二室容器では、前記仕切壁に引張応力をかけることが好ましい。より大きな連通口を形成することができる。
【発明の効果】
【００１５】
本発明は、簡易な構造であり、かつ、使用前は確実に二液を分離でき、使用時は容易に、かつ、確実に二液を混合できる二室容器を提供することができる。
【図面の簡単な説明】
【００１６】
【図１】第一実施形態に係る二室容器の一例を示す斜視図である。
【図２】図１のＡ−Ａ断面図である。
【図３】ストローを挿入した状態を示す断面図である。
【図４】ストローの別の例を示す正面図である。
【図５】図４のＢ−Ｂ断面図である。
【図６】第二実施形態に係る二室容器の一例を示す斜視図であり、ストローを挿入した状態を示す。
【図７】図６のＣ−Ｃ断面図である。
【発明を実施するための形態】
【００１７】
次に、本発明について実施形態を示して詳細に説明するが本発明はこれらの記載に限定して解釈されない。本発明の効果を奏する限り、実施形態は種々の変形をしてもよい。
【００１８】
図１は、第一実施形態に係る二室容器の一例を示す斜視図である。図２は、図１のＡ−Ａ断面図である。第一実施形態に係る二室容器１は、上端開口部１１３を有する収容室１００を、仕切壁１３０で区画して形成した第一室１０１及び第二室１０２を有する容器本体１１０と、上端開口部１１３を閉塞する蓋体１２０とを備え、ストロー（不図示）の挿入によって第一室１０１及び第二室１０２を連通して、第一室１０１及び第二室１０２にそれぞれ充填された内容物を混合する二室容器において、蓋体１２０が、第二室１０２側にストロー挿入部１２１を有し、仕切壁１３０が、（１）割裂性包材からなる、（２）表面にダメージ加工部（不図示）を有する又は（３）割裂性包材からなり、かつ、表面にダメージ加工部（不図示）を有する。
【００１９】
容器本体１１０は、図１又は図２に示すように内部に収容室１００を有する有底筒状であり、底面部１１２と、底面部１１２から立設する胴部１１４と、胴部１１４の上端に形成された上端開口部１１３とを有する。底面部１１２と胴部１１４とは、一体成形であるか、又は別体を接合してもよい。上端開口部１１３は、上端開口部１１３の周縁から外方向に延出するフランジ部１１５を有することが好ましい。容器本体１１０の形状は、図１では一例として、底面部１１２に向かうにつれて径を小さくする円筒形状である形態を示したが、本発明はこれに限定されず、底面部１１２の形状、胴部１１４の傾斜角度などを任意に変更してもよい。
【００２０】
容器本体１１０の材質は、特に制限はないが、例えば、合成樹脂、紙若しくは金属である。合成樹脂は、例えば、ポリエチレン、ポリプロピレン、ポリエチレンテレフタレート、ポリスチレン、ポリアミド、エチレン‐酢酸ビニル共重合体、エチレン‐ビニルアルコール共重合体、ポリ塩化ビニリデンである。金属は、例えば、アルミニウム、スチールである。第一容器本体１１０は、単層体で形成するか、又は積層体で形成してもよい。積層体は、例えば、２種以上の合成樹脂の積層体、合成樹脂と紙との積層体、合成樹脂と金属との積層体、合成樹脂と紙と金属との積層体である。
【００２１】
容器本体１１０の厚さは、０．２〜１．５ｍｍであることが好ましい。０．２ｍｍ未満では、強度が不足して、流通過程において変形する場合がある。また、安定して把持できない場合がある。１．５ｍｍを超えると、材料の使用量が過多であり、環境面及びコスト面で好ましくない。
【００２２】
第一実施形態に係る二室容器１では、仕切壁１３０が収容室１００の底面部１１２の内壁面から上端開口部１１３にわたって設けられ、収容室１００を左右に区画して第一室１０１と第二室１０２とを形成している。この形態では、第一室１０１と第二室１０２とは、上端開口部１１３を開口部として共有する。このため、第一内容物Ｌ１及び第二内容物Ｌ２の充填は、いずれも上端開口部１１３から行うことができる。
【００２３】
第一室１０１は、第一内容物Ｌ１を収容するための空間であるとともに、第一内容物Ｌ１と第二室１０２に充填された第二内容物Ｌ２とを混合するための空間でもある。このため、第一室１０１の容量は、第一内容物Ｌ１の充填量と第二内容物Ｌ２の充填量の合計充填量よりも大きい。第二室１０２は、第二内容物Ｌ２を収容するための空間である。
【００２４】
仕切壁１３０は、（１）割裂性包材からなる、（２）表面にダメージ加工部（不図示）を有する又は（３）割裂性包材からなり、かつ、表面にダメージ加工部（不図示）を有する。仕切壁１３０は、図２に示すように、容器本体１１０と一体であるか、又は別体であってもよい。仕切壁１３０が容器本体１１０と一体であるとき、（２）であることが好ましい。他方、仕切壁１３０が容器本体１１０と別体であるとき、（１）〜（３）のいずれであってもよい。また、仕切壁１３０が容器本体１１０と別体であるとき、仕切壁１３０は容器本体１１０の内壁面に接合する。接合方法は、熱溶着、超音波溶着、高周波溶着、レーザー溶着などの溶着によって接合する方法であることが好ましい。
【００２５】
割裂性包材は、例えば、アルミニウム箔とポリプロピレンとの積層体、アルミニウム箔とイージーピール材との積層体、アルミニウム箔と接着剤層との積層体である。または、包材の厚さを厚くして剛性を高め、割裂性を付与してもよい。仕切壁１３０を割裂性包材とすることで、ストローの挿入によって第一室１０１及び第二室１０２を連通する時に、より大きな連通口を形成することができる。本明細書において、割裂性とは、包材に鋭利な物体を突き刺した時に、包材が実質的に延伸せずに裂ける性質をいう。
【００２６】
ダメージ加工部（不図示）は、例えば、誘導線、弱化線であり、ストローによる突き刺しに要する力をより小さくする役割をもつ。ダメージ加工部は、仕切壁１３０の表面の全体に施すか、又はストローの刺し込みがなされる部分を含む領域に部分的に施してもよい。また、割裂性包材の表面にダメージ加工を施してもよい。
【００２７】
仕切壁１３０には、引張応力をかけることが好ましい。仕切壁１３０に引張応力をかけることで、ストローの突き刺しによって仕切壁１３０が裂けて、より大きな連通口を形成することができる。仕切壁１３０に引張応力をかける方法は、特に制限はないが、仕切壁１３０が容器本体１１０と一体であるときは、例えば、第一室１０１を負圧状態にする方法である。第一室１０１を負圧状態とする方法は、特に制限はないが、例えば、第一室１０１への第一内容物Ｌ１の充填をホットパック充填で行い、冷却することで第一室１０１の圧力を低くする方法である。また、仕切壁１３０が容器本体１１０と別体であるときは、例えば、仕切壁１３０に張力を与えた状態で、容器本体１１０に接合する方法である。
【００２８】
仕切壁１３０のダメージ加工部の厚さは、０．１〜０．５ｍｍであることが好ましい。０．１ｍｍ未満では、樹脂の流動性が悪化し、成形不良が生じるおそれがある。０．５ｍｍを超えると、ストローで突き刺して貫通するのに大きな力を要するか、又は貫通できない場合がある。
【００２９】
蓋体１２０は、収容室１００の上端開口部１１３を閉塞する。蓋体１２０は、図１又は図２に示すように、シート状であり、容器本体１１０の上端に接合される。上端開口部１１３がフランジ部１１５を有する場合、蓋体１２０はフランジ部１１５に接合することが好ましい。接合方法は、特に制限はないが、例えば、熱溶着、超音波溶着、高周波溶着、レーザー溶着などの溶着によって接合する方法、接着剤、接着テープなどの副資材を用いて接着する方法である。
【００３０】
蓋体１２０の材質は、例えば、容器本体１１０の材質として例示したものである。また、蓋体１２０は、容器本体１１０と同様に、単層体で形成するか、又は積層体で形成してもよい。このうち、容器本体１１０との接合を熱溶着で行える点で、蓋体１２０は、積層体であって、収容室１００側の表面に、ヒートシール性を有する樹脂からなる層を有することが好ましい。ヒートシール性を有する樹脂は、例えば、ポリエチレン、ポリプロピレン、エチレン・プロピレンの共重合体、エチレン‐酢酸ビニル共重合体である。蓋体１２０の厚さは、一般に、５μｍ〜３ｍｍである。本発明は、蓋体１２０の厚さに制限されない。
【００３１】
蓋体１２０は、外表面（収容室１００とは反対側の表面）にエンボス加工を施すことが好ましい。エンボス加工は、蓋体１２０の外表面に凹凸を設けることで、ストローを滑りにくくして、ストローの突き刺しをより容易に行うことができる。エンボス加工は、蓋体１２０の外表面の全体に施すか、又はストロー挿入部１２１を含む領域に部分的に施してもよい。
【００３２】
蓋体１２０は、第二室１０２側にストロー挿入部１２１を有する。ストロー挿入部１２１は、図１では、蓋体１２０の外表面に、単に目印をつけるだけの形態を示した。本発明はこの形態に限定されない。
【００３３】
図３は、ストローを挿入した状態を示す断面図である。二室容器１の使用方法は、図３に示すように、ストロー３０をストロー挿入部１２１から第一室１０１に向かって斜め下方向に差し込む。すると、ストロー３０はストロー挿入部１２１から第二室１０２内に入り、仕切壁１３０を貫通して連通口１３１を形成し、第一室１０１内に入る。そして、第二内容物Ｌ２が、連通口１３１を通って第二室１０２から第一室１０１に移動する。さらに、二室容器１を第一室１０１側に傾けて第二室１０２内の第二内容物Ｌ２の全量を第一室１０１に移動させる。第一内容物Ｌ１と第二内容物Ｌ２との混合は、例えば、二室容器１を振盪するか、容器本体１１０の外周面を指で押圧して変形させることで、第一内容物Ｌ１及び第二内容物Ｌ２を流動させて混合するか、又はストロー３０でかき混ぜることで行ってもよい。得られた混合物は、ストロー３０を用いて飲むことができる。
【００３４】
ストロー３０は、図３に示すように、径の異なる２本以上の管３１，３２を入れ子にし、最内管３１が飲み口側である多段式ストローであることが好ましい。入れ子にする管３１，３２の本数は、図３では一例として２本である形態を示したが、本発明はこれに限定されず、３本以上としてもよい。ストロー３０として多段式ストローを用いたとき、最外管３２の長さは、図３に示すように、ストロー３０を挿入したとき、最外管３２の飲み口側の端部３２ａが第一室１０１に入る長さであることが好ましい。これによって、図３に示すように、連通口１３１として最外管３２に対応した大きさの孔を開けることができる。ストロー３０の管のうち、最も径が小さい管である最内管３１が連通口１３１に配置されるため、内容物の通過に伴う空気の流れを阻害することがなく、第二室１０２から第一室１０１への内容物の移動をより促進することができる。
【００３５】
図４は、ストローの別の例を示す正面図である。図５は、図４のＢ−Ｂ断面図である。ストロー４０は、図４、図５に示すように、外周面に突部４４を有することが好ましい。突部４４を有するストロー４０は、図４、図５に示すように複数の管４１，４２を入れ子にした多段式ストローをするか、又は１つの管からなるストローとしてもよい。また、突部４４は、図５に示すように、密実とするか、又は内部を空洞としてもよい。ストローとして突部４４を有するストロー４０を用いたとき、突部４４は、ストロー４０を二室容器に挿入したとき、第一室に入る位置にあることが好ましい。これによって、連通口として突部４４に対応した大きさの孔を開けることができる。このため、ストロー４０よりも大きな孔を開けることができ、かつ、内容物の通過に伴う空気の流れを阻害することがないので、第二室から第一室への内容物の移動をより促進することができる。また、ストロー４０は、ストロー４０を挿入したとき連通口に位置する部分に、括れ部４３を有することが好ましい。括れ部４３を有することで、ストロー４０の外周面と連通口との間の隙間をより大きくすることができ、第二室から第一室への内容物の移動を更に促進することができる。
【００３６】
第一室１０１は、第二室１０２より低圧状態であることが好ましい。第一室１０１を第二室１０２よりも低圧状態とすることで、ストローを仕切壁１３０に突き刺した時、第二室１０２から第一室１０１への内容物の移動をより促進することができる。第一室１０１を第二室１０２より低圧状態にする方法は、例えば、第一室１０１を負圧にする形態、第二室１０２を陽圧にする形態である。
【００３７】
第一室１０１は、負圧状態であることが好ましい。ここで、負圧状態とは、容器内の圧力が大気圧よりも小さい状態をいう。このとき、蓋体１２０は内側に僅かに凹んだ状態となる。第一室１０１を負圧状態とすることで、ストローを仕切壁１３０に突き刺した時、仕切壁１３０に大きな連通口１３１を形成することができる。また、仕切壁１３０が割裂性包材からなるとき、割裂の度合いをより大きくすることができる。第一室１０１を負圧状態にする方法は、特に制限はないが、例えば、第一室１０１への第一内容物Ｌ１の充填をホットパック充填で行い、冷却することで第一容器１０１内の圧力を低くする方法である。また、第二室２０２は、陽圧状態としてもよい。ここで、陽圧状態とは、容器内の圧力が大気圧よりも大きい状態をいう。第二室を陽圧にする方法は、特に制限はないが、例えば、第二室２０２に炭酸ガス、窒素ガスなどのガスを封入することで、第二室２０２の圧力を高くする方法、第二内容物Ｌ２として炭酸ガスを含有する液体を充填することで、第二室２０２の圧力を高くする方法である。
【００３８】
第一室１０１は、陽圧状態としてもよい。第一室１０１を陽圧状態とする場合は、ストローを仕切壁１３０に突き刺して形成する連通口を大きくするか、又は空気の流路を設けると、内容物が、第二室１０２から第一室１０１へ移動しやすい。
【００３９】
第一内容物Ｌ１と第二内容物Ｌ２との組み合わせは、例えば、ウイスキー、ブランデー、ジン、ウオツカなどの基酒と、果汁液、シロップなどの副材料との組み合わせであり、二液の混合によってカクテル又はリキュールをつくることができる。果汁の風味を高めるためのフレーバーは、基酒側に添加することが好ましい。フレーバーを予め果汁液に混合すると、経時変化によって風味が損なわれる場合があるところ、フレーバーを基酒側に添加することで、飲む直前に初めてフレーバーと果汁液とが混合されるため、より風味の高いカクテルを提供することができる。また、基酒若しくは副材料のいずれか一方又は両方が、炭酸ガスを含有していてもよい。内容物が炭酸ガスを含有する場合、容器の内部が陽圧になる。第一内容物Ｌ１及び第二内容物Ｌ２の組み合わせは、あくまでも例示であって本発明はこれらに限定されない。また、いずれの成分を第一内容物Ｌ１又は第二内容物Ｌ２とするかは問わない。すなわち、果汁液と基酒との組み合わせを例にとって説明すると、第一内容物Ｌ１を果汁液とし、第二内容物Ｌ２を基酒とするか、又は第一内容物Ｌ１を基酒とし、第二内容物Ｌ２を果汁液としてもよい。
【００４０】
図６は、第二実施形態に係る二室容器の一例を示す斜視図であり、ストローを挿入した状態を示す。図７は、図６のＣ−Ｃ断面図である。第二実施形態に係る二室容器２は、仕切壁２３０が収容室２００を上下に区画して第一室２０１と第二室２０２とを形成している以外は、第一実施形態に係る二室容器１と基本的な構成を同じくする。ここでは、共通する点についての説明を省略し、相違する点について説明する。
【００４１】
第二実施形態に係る二室容器２は、図６、図７に示すように、仕切壁２３０が収容室２００の胴部２１４に内接して設けられ、収容室２００を上下に区画して第一室２０１と第二室２０２とを形成している。
【００４２】
仕切壁２３０が容器本体２１０と一体である場合、図７に示すように、底面部２１２と胴部２１４とを別体とする。このとき、二室容器２は、第一室２０１内に第一内容物Ｌ１を充填し、底面部２１２を接合して第一室２０１を密閉した後、第二室２０２内に第二内容物Ｌ２を充填し、蓋体２２０で第二室２０２を密閉することで製造する。なお、内容物を充填する順は、先に第二室２０２に第二内容物Ｌ２を充填し、その後第一室２０１に第一内容物Ｌ１を充填してもよい。
【００４３】
仕切壁２３０が容器本体２１０と別体である場合は、底面部２１２は胴部２１４と別体であるか、又は一体であってもよい。仕切壁２３０が容器本体２１０と別体であり、かつ、底面部２１２と胴部２１４とが一体である場合、二室容器２は第一室２０１内に第一内容物Ｌ１を充填した後、仕切壁２３０を胴部２１４の内壁に接合することで第一室２０１内を密閉する。その後、第二室２０２内に第二内容物Ｌ２を充填し、蓋体２２０で第二室２０２を密閉することで製造する。仕切壁２３０が容器本体２１０と別体であり、かつ、底面部２１２と胴部２１４とが別体である場合、二室容器２は、例えば、仕切壁２３０を胴部２１４の内壁面に接合した後、第一室２０１及び第二室２０２にそれぞれ内容物を充填して製造する。または、二室容器２は、底面部２１２を接合後、仕切壁２３０が容器本体２１０と別体であり、かつ、底面部２１２と胴部２１４とが一体である場合と同様の方法で製造してもよい。
【００４４】
ストロー挿入部２２１は、図６では、蓋体２２０の中央部に設けたが、これに限定されず、蓋体２２０の中央部から外れた位置に設けてもよい。
【００４５】
二室容器２の使用方法は、図７に示すように、ストロー３０をストロー挿入部２２１から下方向に向けて差し込む。すると、ストロー３０はストロー挿入部２２１から第二室２０２内に入り、仕切壁２３０を貫通して連通口２３１を形成し、第一室２０１内に入る。そして、第一室２０１及び第二室２０２が連通し、第二内容物Ｌ２が第二室２０２から第一室２０１に落下して移動する。第一内容物Ｌ１と第二内容物Ｌ２との混合は、例えば、二室容器２を振盪するか、又はストロー３０でかき混ぜることで行ってもよい。得られた混合物は、ストロー３０を用いて飲むことができる。
【符号の説明】
【００４６】
１  二室容器
２  二室容器
３０  ストロー
３１  最内管
３２  最外管
３２ａ  最外管の飲み口側の端部
４０  ストロー
４１，４２  管
４３  括れ部
４４  突部
１００  収容室
１０１  第一室
１０２  第二室
１１０  容器本体
１１２  底面部
１１４  胴部
１１５  フランジ部
１１３  上端開口部
１２０  蓋体
１２１  ストロー挿入部
１３０  仕切壁
１３１  連通口
２００  収容室
２０１  第一室
２０２  第二室
２１０  容器本体
２１２  底面部
２１３  上端開口部
２１４  胴部
２２０  蓋体
２２１  ストロー挿入部
２３０  仕切壁
２３１  連通口
Ｌ１  第一内容物
Ｌ２  第二内容物
【図１】
2014061926.tif 000003
【図２】
2014061926.tif 000004
【図３】
2014061926.tif 000005
【図４】
2014061926.tif 000006
【図５】
2014061926.tif 000007
【図６】
2014061926.tif 000008
【図７】
2014061926.tif 000009